(57)【要約】【課題】停電の場合での動作特性及びアクセス保護特性に関して改善されると共に、このような異常動作状態の場合においても従事者に対して内部空間内に貯蔵された被冷凍物の状態を推定する機会を与えることが可能な、商用電源電圧駆動の冷凍庫装置を提供する。【解決手段】商用電源電圧駆動の冷凍庫装置は、開扉位置と施錠位置の間で回動自在である施錠レバー２２がヒンジ連結された冷凍庫ドア２と、施錠レバー２２に割り当てられたブロッキング手段２４と、を備える。ブロッキング手段２４は、電動駆動又は電磁駆動のブロッキングエレメント２６を含む。ブロッキングエレメント２６は、コード操作に応じて施錠レバー２２の回動をブロックする又は自由にする。電子制御部１４と商用電源電圧から独立したバッテリ蓄電手段１３とが、商用電源電圧の停電に応答して、商用電源電圧の供給がなくても所定の最低限期間中はコード操作及び自由にすることが可能となるように、ブロッキング手段２４及びコード入力部に振り当てられている。制御部１４に割り当てられた表示手段１８は、商用電源電圧の停止の間における少なくとも所定の最低期間中、冷凍庫装置の現在の内部温度が表示されることが可能となるように構成されている。【選択図】図１
2019532250.tif 000002
【特許請求の範囲】
【請求項１】
商用電源電圧駆動の冷凍庫装置、特には極低温冷凍庫装置であって、
冷凍庫ドア（２）であって、当該冷凍庫ドア（２）にヒンジ連結された施錠レバー（２２）を有し、当該施錠レバーは開扉位置と施錠位置の間で回動自在である、冷凍庫ドア（２）と、
前記施錠レバーに割り当てられたブロッキング手段（２４）であって、電動駆動且つ／又は電磁駆動のブロッキングエレメント（２６）を含み、当該ブロッキングエレメント（２６）は、オペレータによりコード入力部（２０）を介して入力されることが可能なコード操作に応じて前記施錠レバーの回動をブロックするか又は自由にする、ブロッキング手段（２４）と、
を備える、装置において、
電子制御部（１４）と商用電源電圧から独立したバッテリバッファ手段（１３）とが、
商用電源電圧の停止に応答して、商用電源電圧の供給がなくても所定の最低限期間中は前記コード操作及び前記自由にすることが可能となるように、前記ブロッキング手段及び前記コード入力部に割り当てられており、
前記制御部に割り当てられ、特には前記冷凍庫ドアに設けられた表示手段（１８）が、商用電源電圧の停止の間における少なくとも前記所定の最低限期間中、当該冷凍庫装置の現在の内部温度が表示されることが可能となるように構成されていることを特徴とする、装置。
【請求項２】
請求項１に記載の装置において、前記所定の最低期間が５０時間、好ましくは７０時間であることを特徴とする、装置。
【請求項３】
請求項１または２に記載の装置において、前記ブロッキング手段が、電動で直線変位自在なブロッキングボルト（２６）をブロッキングエレメントとして含み、当該ブロッキングボルト（２６）は、ブロック時に前記施錠レバーの一部に係合する、特には圧入することが可能であることを特徴とする、装置。
【請求項４】
請求項３に記載の装置において、前記ブロッキング手段は、ブロックを可能にするエンド位置又は停止位置において前記ブロッキングボルトが電流遮断状態で保持されるように構成されており、より好ましくは、前記ブロッキング手段は、前記ブロッキングボルトを２つの電流遮断状態でエンド位置に駆動するように構成されていることを特徴とする、装置。
【請求項５】
請求項３または４に記載の装置において、前記ブロッキング手段が検出器および／またはスイッチ手段（２４）を含み、当該検出器および／またはスイッチ手段（２４）は、前記制御部に接続されており、かつ、前記ブロッキングボルトの変位位置、特には前記自由にすることを引き起こす後退変位位置を検出するように機能し、好ましくは、当該検出器および／またはスイッチ手段は、前記ブロッキングボルトによって作動されることが可能な機械式スイッチ手段（２４）として実現されることを特徴とする、装置。
【請求項６】
請求項１から５のいずれか一項に記載の装置において、回動位置検出手段（３０，３２）、好ましくは前記冷凍庫ドアに設けられた回動位置検出手段（３０，３２）が、前記施錠レバーに割り当てられて前記制御部に接続されていることを特徴とする、装置。
【請求項７】
請求項６に記載の装置において、前記回動位置検出手段が、磁場検出手段（３２）および／もしくは磁気駆動式スイッチ手段であって、前記施錠レバーに設けられた永久磁石手段（３０）と磁気的に相互作用するように構成された磁場検出手段（３２）および／もしくは磁気駆動式スイッチ手段、または、位置センサ、または、接触もしくは非接触作動のスイッチを含むことを特徴とする、装置。
【請求項８】
請求項１から７のいずれか一項に記載の装置において、前記制御部は、商用電源電圧の停止に応答したコード操作および／または前記自由にすることが所定の回数のみ、特には一回のみ可能で、好ましくは、ブロックおよび／または施錠動作が阻止されるように構成されていることを特徴とする、装置。
【請求項９】
請求項１から８のいずれか一項に記載の装置において、前記制御部および前記表示手段は、前記最低限期間中、動作不良情報および／または動作状態情報および／または動作指示情報を追加で表示するように構成されていることを特徴とする、装置。
【請求項１０】
請求項１から９のいずれか一項に記載の装置において、被冷凍物を貯蔵するように設計された内部空間が、−５０℃未満、好ましくは−８０℃未満の定常冷却モード温度で運転されることを特徴とする、装置。
【発明の詳細な説明】
【技術分野】
【０００１】
本発明は、主請求項の前提部に記載されているとおり商用電源電圧駆動の冷凍庫装置に関する。この種の装置は、特に極低温冷凍庫装置（すなわち、被冷凍物を貯蔵するように意図された内部空間の冷却モード温度が−５０℃未満とされる冷凍庫装置）の分野で一般的に知られており、かつ、当該内部空間への、意図しない、および／または、不正なアクセスを防止するのに適している。
【背景技術】
【０００２】
通常、この種の一般的な冷凍庫装置は、生体試料や同様の被冷凍物を貯蔵するのに用いられるところ、この種の被冷凍物はしばしば低い目標温度で数週間又は数ヶ月の間貯蔵される必要があり、例えば悪用等を防ぐために当該被冷凍物へのアクセスを制限する必要性を伴うことが多い。アクセス制御において実用上極めて重要となる別の側面として、上記のような低い冷却モード温度では開扉するたびに氷結作用が生じるため、氷を取り除いたり低温冷却を依然として維持したりするための特別な対策を講じなければならないという問題が挙げられる。
【０００３】
例えば特許文献１には、施錠レバーが設けられた冷凍庫ドアを一般的に備えて且つ当該施錠レバーが当該冷凍庫ドアに開扉位置と施錠位置との間で回動可能にヒンジ連結されてなる、極低温冷凍庫装置が開示されている。
【０００４】
この種の施錠レバーには、また、原則としてブロッキング手段を設けることが知られている。ブロッキング手段は、施錠レバーが回動される（つまり、冷凍庫ドアが開扉される）のを、例えば電動駆動又は電磁駆動のブロッキングボルト（ブロックするかんぬき）、同様のブロッキングエレメント等を用いて防ぐことができる。これに関連して、キーボードのようなコード入力手段を用いるだけでなく、ＲＦＩＤキャリアを高周波の検出範囲内に近付けること（しばしば非接触の様式、つまり楽な操作）で、アクセスのセキュリティを図る等といった、コード入力によるブロッキング手段の解除・ブロック制御の選択肢が最新技術から知られているものと考えられる。
【０００５】
しかし、停電や、継続的なエネルギ供給に悪影響を与える類似の動作不良が起きた場合、これらの既知の装置に含まれる電子部品や電気機械部品への電気エネルギ供給が問題となる。そのため、このような動作不良が起きた場合には、内部空間内の被冷凍物（高い価値があるものであり得る）が取り出されて、別の冷凍庫に適宜移されるということが確実でなければならない。さらに、商用電源電圧の停電の場合にも、冷凍庫が確実に開扉可能でなければならない。例えば、前述したコード入力技術が設けられた、最新技術から一般的に知られているものと考えられる装置であれば、商用電源電圧の停電の場合に上記ブロッキング手段が自動的に解除されることにより、ブロック解除された（つまり、ロックが外れた）施錠レバーを従事者（オペレータ）が操作することによって冷凍庫内部へのアクセスが妨げられず、この問題が解決される。このために、ブロッキングボルトを駆動する電磁アクチュエータはフェールセーフ動作モードを有している。すなわち、電流が遮断すると、当該電磁アクチュエータが通常は単安定であるエンド位置に自動的に戻る。
【０００６】
しかし、このアプローチは、コード入力によってもたらされるはずの、不正開扉に対するアクセス保護が弱まることを意味する。例えば、商用電源電圧の停電の形態の動作不良は、コンセントに一般的に接続される冷凍庫装置の場合であればプラグを引き抜くこと等によって悪用目的で故意に引き起こすことができる。追加のセキュリティ対策や不正アクセスをチェックする手段のない緊急モードであると仮定すると、ブロッキング手段が施錠レバーのロックを前述のように外してしまう。
【０００７】
一般的に知られていると考えられる最新技術には、上記のような動作不良が起こると、さらに、温度インジケータのような部品（具体的には、内部空間内に貯蔵された被冷凍物の冷却状態を示唆する温度インジケータのような部品）が動作不能となり、具体的に述べるとそれによって例えば現在の冷却状態や現在の冷却モード温度等を従事者に知らせるということが出来なくなる（又はそれ以降出来なくなる）という欠点がある。具体的に述べると、これは、被冷凍物について講じなければならない緊急措置が不確かなものとなり、臨界冷却温度以下であるという保証がなくなることを意味する。
【先行技術文献】
【特許文献】
【０００８】
【特許文献１】米国特許出願公開第２０１５／００１３３５２号明細書
【発明の概要】
【発明が解決しようとする課題】
【０００９】
したがって、本発明の目的は、主請求項の前提部に記載されているような商用電源電圧駆動の冷凍庫装置を商用電源電圧の停電の場合での当該冷凍庫装置の動作特性及びアクセス保護特性に関して改善すると共に、このような異常動作状態の場合においても、商用電源電圧の停電にかかわらず適切な保護対策が講じられるように、従事者に対して当該冷凍庫内に貯蔵された被冷凍物の状態を推定する機会を提供することである。
【課題を解決するための手段】
【００１０】
この目的は、主請求項の構成を備える商用電源電圧駆動の冷凍庫装置により達成される。本発明の有利な実施形態は、従属請求項に記載されている。さらに、前記商用電源電圧駆動の冷凍庫装置の、極低温冷却範囲での、すなわち、被冷凍物を貯蔵するように設計された内部空間の−５０℃の定常冷却モード温度での（定常運転温度としてのこの温度は−５０℃未満であってもよく、好ましくは−８０℃又は−８０℃未満とされ得る）好適な用途（使用方法）についても、本発明の範囲疇での保護が請求されている。
【００１１】
本発明の有利な一実施形態では、電動駆動又は電磁駆動のブロッキングエレメント（例えば、ブロッキングボルト等）を含む本発明にかかるブロッキング手段に、商用電源電圧から独立したバッテリ蓄電手段（バッテリバッファ手段）が割り当てられている。当該バッテリ蓄電手段は、商用電源電圧の停止に応答して、商用電源電圧の停止発生後の所定の最低限期間中は、コード操作、及び冷凍庫ドア用の施錠レバーの（前記ブロッキングエレメントを介した）自由化（解除）が可能となるように、コード入力部及び電子制御部と相互作用する。有利には、この期間は、５０時間以上、好ましくは７２時間以上であるように設定又は構成されており、これにより、人員が居なくても（特には、週末又は同様の期間を見据えて）ブロック解除による被冷凍物へのアクセスが可能となる。したがって、本発明により、前記最低限期間中に前記コード入力部が前記ブロッキング手段と確実に相互作用し続ける。すなわち、前記期間中も、正確なコードを入力した場合にのみ（すなわち、意図された適切なコード操作でのみ）前記施錠レバーが自由にされることが可能となる。よって、本発明によれば、この緊急モードの間も保護機能が維持されるので、前述した先行技術とは異なり、商用電源電圧の故意の遮断によるコードセキュリティ機能の悪用や回避が起こらないようになる。
【００１２】
本発明の好ましい一実施形態では、さらに、表示手段が前記制御部に割り当てられている。当該表示手段は、前記冷凍庫ドアに設けられていることで外部から簡単に視認することができる。当該表示手段は、また、商用電源電圧の停止の場合に当該停止に応答して、前記所定の最低限期間中、前記冷凍庫装置の（特には、被冷凍物を貯蔵するように意図された内部空間の）現在の内部温度が表示されることが可能となるように構成されている。これにより、動作不良の間も特に従事者のような人員は現在の内部温度を確認することができ、これに基づいて当該従事者のような人員は、適切なコード入力で内部空間から（デリケートな可能性のある）被冷凍物を取り出して別の場所に貯蔵すべきなのか、それとも、被冷凍物を内部空間内に留めておくことが可能であるのか（十分な断熱が継続しているため、十分な貯蔵温度である場合等）について判断を行うことができる。
【００１３】
結果として、デリケートな物品用の一般的な冷凍庫装置（特には、極低温冷却範囲の冷凍庫装置）のセキュリティ、アクセス及び情報入手の容易性が大幅に向上し、効果的な悪用防止以外にも、向上したアクセスセキュリティが、向上した運用挙動と相まって可能となる。
【００１４】
本発明の有利な一実施形態において、前記ブロッキング手段は、電動で直線方向に変位されることが可能なブロッキングボルトをブロッキングエレメントとして含み、当該ブロッキングボルトは、前記施錠レバーの一部（例えば、当該施錠レバーに形成された穴等）に係合する（特には、既知の様式で圧入（摩擦係合）する）ことにより確実にブロックを行うことが可能である。これにより、ブロック機能は、機械的に確実に実現できると同時に電動で簡単に（よって、製造の手間をあまりかけずに）実現されることができる。また、当該ブロック機能は、電動で駆動される前記ブロッキングボルトが少なくとも（ブロックを可能にする）エンド位置又は停止位置において電流遮断状態で（ノルマル時安定に（stromlos stabil））保持されるようにすることで、さらに向上可能である。これには、前述した発明思想との相乗作用により、電力停止の緊急事態の場合であっても前記ブロッキングボルトがロック位置に留まるという有利な効果がある。しかも、この種の電流遮断状態（ノルマル時安定状態）を拡大して、電気エネルギ消費（特には、このブロック過程に関わる電動部品の電気エネルギ消費）が僅かに存在する場合も含めることができる。さらに好ましくは、例えば関連部品の適切な設計等によって、前記ブロッキングボルトの動きが両側で２つの安定状態となるものとされる（実際の動きのためだけに電気的な駆動信号が要求されることを意味する）。
【００１５】
本発明の好ましい他の実施形態では、検出器および／またはスイッチ手段が前記ブロッキングボルトに割り当てられており、具体的に述べると、当該検出器および／またはスイッチ手段は、前記ブロッキングボルトの解除（すなわち、前記ブロッキングボルトの後退変位位置）を報知する。有利には、これは、解除を引き起こす後退変位位置に前記ブロッキングボルトがあるときに当該ブロッキングボルトが機械式切替接点に触れて閉成することで実際に実現され得る。これにより、接続された前記制御部は、この開状態つまりブロック解除状態を高い信頼度で検出して、これを考慮に入れて他の制御・表示タスクを適宜行うことが可能となる。
【００１６】
前述した実施形態と組み合わせて提供されることも前述した実施形態の代わりに又は前述した実施形態とは独立して提供されることも可能である本発明の好ましい他の実施形態では、前記施錠レバーの回動状態又は回動位置（すなわち、具体的には開扉位置（開放位置）及び施錠位置）が電子的に検出可能及び推定可能であるように、回動位置検出手段が前記施錠レバーに割り当てられて前記制御部に接続されている。有利なこの実施形態では、前記施錠レバーの適切な（機械的な）回動位置に応じたブロック解除及びその後の再ブロックが可能となることを目的として、前記ブロッキングボルトを連続して作動させるために、前記施錠レバーの機能が前記装置の制御挙動に直接組み込まれている。まず、本実施形態では、特に前記表示手段用などの制御配線や電子部品などが前記冷凍庫ドア上および／または前記冷凍庫ドア内に存在しているので、前記回動位置検出手段を当該冷凍庫ドアにおいて前記施錠レバーの近傍に（好ましくは、当該施錠レバーと非接触で相互作用するように）配置するのが有利である。好ましい他の実施形態では、この場合において、前記回動位置検出手段を磁場検出器又は磁気駆動式スイッチの形態で実現し、当該磁場検出器又は磁気駆動式スイッチを、前記施錠レバーに設けられて形成された永久磁石手段と極めて好適かつ有利な（なおいっそう有利には、非接触の）様式で相互作用可能なものとすることが、実現面でさらに簡単及び経済的であり且つ動作も確実である。これにより、前記施錠レバーに配線や他の電子部品を設けることなく高い信頼度の非接触検出が実現可能となる。しかも、前記磁場検出手段や前記磁気駆動式スイッチ手段は、単純かつ簡便な信号測定を可能にする。
【００１７】
商用電源電圧の長期停止の場合における意図しない動作状態を防止する目的で、本発明の他の実施形態における前記制御部は、コード操作および／または解除が商用電源電圧の停止の間制限されるように（特には、一回のみ実行可能であるように）構成されているのが有利であり得る。
【００１８】
結果として、従属請求項に対応した本発明の有利な実施形態も、本発明により可能となる有利な保護特性及び動作特性が（特に、デリケートな極低温冷凍庫装置の場合において）実現されることを可能にする。
【００１９】
本発明の他の利点、特徴および詳細は、好適な実施形態についての後述の説明から及び下記の図面から明らかになる。
【図面の簡単な説明】
【００２０】
【図１】第１の実施形態にかかる商用電源電圧駆動の冷凍庫装置の概略図であって、さらに、電子的な及び電気機械的な機能構成要素の冷凍庫ドアの施錠レバーの機能がブロックで示されている図である。
【発明を実施するための形態】
【００２１】
図１に、本発明にかかる商用電源電圧駆動の冷凍庫装置の第１の実施形態を示す。図１の概略斜視図には、商用電源電圧入力部１０を介して電源網（好ましくは、公共電源網）に接続されることが可能な冷凍庫が示されている。この冷凍庫の冷凍庫ドア２は、被冷凍物を貯蔵するように意図されて定常冷却状態時に−８０℃の冷却モード温度にまで冷却される内部空間を閉鎖する（閉鎖方法については図１に示されていない）。当該温度は、その内部空間に振り当てられた温度センサＴにより検出される。
【００２２】
既知の様式のように、前記内部空間（図示せず）を取り囲む冷凍庫本体４に回動可能にヒンジ連結された冷凍庫ドア２は、水平方向の回動軸心２３を中心として回動可能な施錠レバー２２を手動で操作することによって開扉される（及び閉鎖される）ことが可能である。この点に関して、図１には、施錠レバー２２が本体４上の当接手段（図示せず）に係合した閉鎖状態が描かれている。
【００２３】
施錠レバー２２は当該施錠レバー２２の閉鎖位置（図１）において、ブロッキングボルト２６を構成するブロッキング装置（ブロッキング手段）２４の作用により、不正アクセスから保護されている。ブロッキングボルト２６は、レバー２２の方向に延びて、当該レバー２２に係合することにより、当該レバー２２をブロックしてブロック状態にすることが可能である。ハウジング２４内において、当該ブロッキングボルトは電動駆動の螺旋駆動部によって図１の垂直方向へと、すなわち、当該ブロッキングボルト２６がレバー２２と係合しない（つまり、レバー２２を解放して操作可能とする）後退位置（開位置又はブロック解除位置）と当該ブロッキングボルト２６が前述のように延長されて施錠レバー２２の適切な開口又は穴に係合することで当該施錠レバー２２を回動できないようにするロック状態との間で作動されることが可能である。
【００２４】
前記ブロッキングボルトのこのような電動駆動は、図１に概略的に示された制御部１４により制御される。制御部１４は、例えばマイクロコントローラユニット等で実現され、適切なオペレーティング（システム）ソフトウェアが設けられており、ブロッキングボルト２６を駆動するモータを適切に制御することによって施錠レバー２２の施錠状態及び解錠状態を達成する。
【００２５】
図１には、さらに、表示入力部１６が示されている。表示入力部１６は、（温度センサＴのセンサ出力信号に応じた）内部冷却温度の温度表示部１８と概略的に描かれたキーボード２０とを含む。ブロッキング手段２４の開動作を引き起こしてブロッキングボルト２６を解除するには、当該キーボード２０を介して適切なコードが入力される必要がある。
【００２６】
図１がさらに明示するように、リミットスイッチ２８及び磁気検出器３２の形態のセンサ手段が、ブロック動作及びブロック解除動作に影響を及ぼすために、設けられて制御部１４に割り当てられている。まず、開（降下）状態の前記ブロッキングボルトで機械的に作動されたリミットスイッチ２８により、当該ブロッキングボルト２６がロック解除状態であるのか（すなわち、開扉に適した状態であるのか）否かが判定される。さらに、例えば冷凍庫ドア２のリードスイッチ等によって実現される磁場検出器であって、対向する施錠レバー２２に取り付けられた永久磁石３０と相互作用するように構成されている磁場検出器により、当該施錠レバーが施錠位置（図１）にあるのか否かが判定される。これは、この位置での永久磁石３０がリードスイッチ３２に対向することで、制御部１４による対応した検出が可能となるからである。この施錠位置でのみ、（機能部２４が相応に制御されて）ブロッキングボルト２６を上昇させることによるロックが実行可能となる。これにより、前記ブッキングボルトの誤動作が効果的に防止される。これは、具体的に述べると、施錠レバー２２が不適切な位置にある（例えば、回動状態等である）ときには、ブロッキングボルト２６が駆動されて上記のようにロックを行うことを、３０，３２の組合せが防止するからである。
【００２７】
図１のブロック図部分が追加で明示しているように、本実施形態には、接続部１０での商用電源電圧の（意図しない）遮断又は停電が起きた場合の緊急機能が設けられている。すなわち、商用電源電圧は、前記冷凍庫の内部空間を意図した目標温度にまで冷却するための冷却部品及びそれらの制御部（機能部１２で概略図示する）に対して給電するのに主に用いられる。これらは周知のものなので、別途図示したり説明したりしない。
【００２８】
同時に、バッテリ駆動の蓄電部（バッファ手段）１３も設けられている。蓄電部１３は、前記冷凍庫装置が商用電源電圧１０に接続されているときに（商用電源アダプタ手段（図示せず）により適宜処理された）当該商用電源電圧を受け取って蓄電することで、接続された商用電源電圧の信号がなくても、７２時間の最低動作期間にわたって制御部１４の（当該制御部１４に接続された表示入力部１６，１８，２０を含めた）緊急モード（後述）が確保されることを可能にする。この緊急モードにおいても制御部１４は、前記内部空間を検出する温度センサＴで当該内部空間の冷却温度を常時検出し、当該冷却温度を適宜デジタル処理し、ドア２の前方外表面に設置された表示入力部１６の表示部１８でこれを表示することができる。この冷却温度は、必ずしも常時表示される必要はない。むしろ、当該冷却温度は、一列のキー２０で概略図示するようにインターフェースが操作されたときに表示されるものとされてもよい（変形例として、当該インターフェースは、表示部１８の感圧機能によって既知のタッチスクリーンなどの様式で実現されるものとされてもよい）。バッテリ蓄電部１３により、このような機能が７２時間の前記最低期間中確実に維持される。給電部１４により、さらに、制御部１４の制御によってユニット２４の前述したようなコード保護された解除及び開動作が（少なくとも）１回行われることが確実に可能となる。これは、電力停電時であっても、ブロッキングボルト２６を降下させて前記施錠レバーを解除するには、従事者がキー２０で適切なコードを入力した場合にのみ生成される制御部１４からの（ブロッキング手段２４の駆動による）解除信号が必要となるからである。
【００２９】
本発明の実施形態の範囲内において従事者は、当該冷凍庫を開扉して（すなわち、当該冷凍庫の中身を稼働中の冷凍庫に移す目的で）当該冷凍庫の中身にアクセスすることが実際に適切な対策であることを確認するために、前記冷凍庫を開扉する前に表示部１８の温度表示を読み取る。
【００３０】
本発明の有利なこの実施形態において、前記表示部は、さらに、停電時の前記最低限表示期間中に、前記温度以外に動作状態（特には、エラー報告）を表示することが可能である。これにより、担当者又は保守員は、停電が（実際に）純粋な外的要因によるものなのか否かや、機能部１２が故障している可能性があるのか否かなどの、前記冷凍機についての情報を（追加で）収集することができる。これも、あくまでも例示に過ぎない。具体的に述べると、前記表示部の有利なこの機能を用いることにより、緊急通知を表示することで従事者に（例えば、動作不良を是正するために）何をすべきなのかを指示することも可能である。
【００３１】
また、（本発明にかかる必要なコード入力を含む）前述した緊急開扉機能により、前記冷凍庫が一回だけ開扉されるようにし、これにより、以後の施錠を不可能にするということも可能である。ただし、特に接続部１０での適切な商用電源電圧供給が再確立された後（必要に応じて、制御部１４のオペレーティングシステムの初期化過程や再起動過程が完了した後）は、この限りではない。
【００３２】
本発明は、例示の実施形態に限定されない。本発明の実現には、特定の用途や環境パラメータが必ずしも必要でない。すなわち、本発明は、極低温冷凍庫装置の場合に極めて有効かつ有用となるが、他の用途も想定可能であり、かつ、施錠機能やブロック機能が必ずしも前述した特定の様式で行われなければならないわけでもない。この点についても、数多くの他の電気機械的な解決手段が考えられる。
【図１】
2019532250.tif 000003
【国際調査報告】
2019532250.tif 000004
2019532250.tif 000005
2019532250.tif 000006
2019532250.tif 000007
2019532250.tif 000008
2019532250.tif 000009